(57)【特許請求の範囲】
【請求項１】
箱体、押しボタン、連動部品及び接触シートを含み、
当該箱体は中空状であり、その上方には１つの開口部が設置され、箱体の底面には少なくとも２つの接触端子が組立てられ、
当該押しボタンは１つの帽状体で、押しボタンは箱体の開口部に枢接され、押しボタンが回転軸を中心にして揺り動くようにし、押しボタンの一端には延伸部が設置され、当該延伸部には１つの溝が設置され、当該溝の中には活動する連動部品の一端が嵌め込まれ、押しボタンが下向きに右、左押されると、相対的に連動部品を上下に作動させ、
当該連動部品の一端には１つの棒体が設置され、当該棒体が活動的に前述押しボタンの延伸部の溝の中に嵌め込まれ、且つ棒体は当該溝の中で往復移動、位置決めでき、連動部品の別の一端は接触シートの自由端を挟み、
当該接触シートは１つの弾性を具備した金属シート体で、その一端は第１接触端子に固定して組み込まれ、接触シートのシート体は２つの側に向かってトリップすることができ、接触シートの別の一端は自由端であり、接触シートのシート体で１つの接触部を形成し、当該接触部の一辺と接触シートのシート体は接続していて、接触部の別の一端は自由端であり、接触部の自由端には第１接点が組立て設置されていて、前述の第２接点に対応し、接触部の自由端は相対して接触シートシート体の平面に突出し、接触部の自由端と接触シートの自由端は相互に反対方向へ湾曲トリップする状態を保持し、接触シートと接触部が熱を受けた時、それぞれ変形して反対に湾曲し、別の一側に向かってトリップし、
押しボタンが電気回路導通の位置にある時、当該連動部品上端の棒体は押しボタンの延伸部の溝の中の下向き自由移動空間△Ｓ１にあり、当該自由移動空間△Ｓ１は連動部品の棒体に溝の中を自由に下向きに移動できる経路を提供していて、連動部品全体の下向き移動が押しボタン及び押しボタンの延伸部の制限を受けず、接触シートの自由端の下向きトリップも制限を受けなく、電流がオーバーロードになった時、接触シートは熱を受けて反対に湾曲変形し、接触シートの自由端は自由に下向きにトリップでき、接触シートの接触部の自由端を上向きに反対にトリップさせ、接触部上の第１接点と第２接点が分離して、電気回路の非導通を形成することを特徴とするスイッチの自動遮断構造。
【請求項２】
当該箱体には少なくとも２つの接触端子が組立てられ、それぞれ第１、第２接触端子とし、第１接触端子の上方湾曲部には接触シートの一端が固定組立てられ、第２接触端子の上方には１つの第２接点が結合されていることを特徴とする請求項１記載のスイッチの自動遮断構造。
【請求項３】
当該押しボタンの延伸部の溝は１つの水平溝、下向きに延長した１つの直立溝で、おおよそ１つの逆さＬ字形の湾曲状を呈し、および電気回路が導通の位置にある時、当該連動部品の棒体は押しボタン延伸部の溝の直立層の中で、１つの自由移動空間△Ｓ１を有していることを特徴とする請求項１記載のスイッチの自動遮断構造。
【請求項４】
更に、押しボタンと前述の箱体の間には１つの弾性部品が組み込まれ、当該弾性部品は押しボタンの一端に上向き弾性力を与え、
電流のオーバーロードによるトリップ、非導通状態では、当該連動部品上端の棒体は押しボタンの延伸部の溝下端にあり、自由移動空間△Ｓ２を形成し、当該移動空間△Ｓ２は押しボタンの延伸部に溝に沿って下向きに自由に移動できる経路を提供し、即ち、押しボタン右端及び延伸部の下向き移動の作動は連動部品の棒体の制限を受けなく、この時、押しボタン右端の延伸部は連動部品の棒体の上向き押さえ、制限を受けず、且つ押しボタンの左端は弾性部品の弾性力を上向きに受けるため、押しボタンの左端は上向きに、右端は下向きに回り、押しボタンは一般的な非導通の再使用状態に復帰することを特徴とする請求項１記載のスイッチの自動遮断構造。
【請求項５】
当該弾性部品は１つの螺旋バネで、螺旋バネの中段は巻付け部で、両端は延長した自由端であり、
また、箱体の内側面には１つの横向き軸棒と１つの凸棒が設置され、
螺旋バネの巻付け部が軸棒に嵌め込まれ、螺旋バネの１つの自主端は前述の押しボタンの一端の下方に押さえられ、別の１つの自由端は圧縮された後凸棒を抑えられて、螺旋バネが圧縮された後の弾性回復力により押しボタンに１つの弾性力を与えていることを特徴とする請求項４記載のスイッチの自動遮断構造。
【請求項６】
当該連動部品の一端には挟み部が設置され、当該挟み部の活動クリップは当該接触シートの自由端を挟んでいることを特徴とする請求項１記載のスイッチの自動遮断構造。
【請求項７】
当該挟み部は連動部品の下端ホックとホック上方の湾曲状シート体で形成された挟み込み空間であり、当該挟み込み空間の幅は接触シートの厚さより大きいことを特徴とする請求項６記載のスイッチの自動遮断構造。
【請求項８】
当該接触シートは複合金属シートであることを特徴とする請求項１記載のスイッチの自動遮断構造。
【発明の詳細な説明】
【技術分野】
【０００１】
本発明は一種の電気回路制御スイッチで、特に電流がオーバーロードになった時に自動的に遮断して非導通となるスイッチ構造を指す。
【背景技術】
【０００２】
電源制御スイッチの操作は、主に電流回路の通電（ＯＮ）及び非導通（ＯＦＦ）の２種の作動行程を執行することである。通電（ＯＮ）及び非導通（ＯＦＦ）の２種の機能を執行する以外に、現行の多くのスイッチ構造でも電流オーバーロードで過熱した時に自動的にトリップし非導通となり、電流オーバーロード時の電流回路のヒューズ或いはブレーカーが即時に非導通となるか或いはトリップできない危険性を防いでいる。
【０００３】
各種の周知使われている電源制御スイッチの特許前例は多くある。例えば、出願人が出願した特許文献１、その他の特許文献２、特許文献３、特許文献４、特許文献５、特許文献６等々があり、これら多くの特許前例には以下のような共通の欠点がある。
（１）連動する部品ユニットが多く、連動する行程が複雑で、押しボタンと末端ユニット間に非即時作動関係が生じる。また製造コストも高くなっている。
（２）作動関係が不確実で、故障の機会が増加し、消費者の使用及び電気利用の安全性に不利である。
（３）電流がオーバーロードになって過熱した時、接触弾性シートが即時に非導通とならないか或いはトリップが不完全で、電気回路は依然として通電或いは一部電流が導通状態にあり、電気回路が引続き加熱して危険である。
（４）電流オーバーロードで過熱した時、接触弾性シートが半トリップ状態になり、接触弾性シートが冷却した時にまた通電状態にトリップ・バックするので、通電、非導通を継続して繰り返すことで火花が生じ、非常に危険である。しかも、電流回路中の電子、電気設備は通電、非導通の反復により、クラッシュ或いは正常に作動できないことから、使用寿命が短くなる、ひいては損害を受けて使用できなくなる。
【０００４】
有効的に電源制御スイッチ内部ユニットの連動作動関係の執行を確実にし、電源制御スイッチ・ユニットを簡略化して製作コストを下げ、電流オーバーロード状態で即時に反応してトリップし非導通となり電力使用の安全性を確保することが、電源制御スイッチ構造を引続き研究改良する製造業者にとって重要な課題になっている。
【０００５】
【特許文献１】米国特許第５,２６２,７４８号明細書
【特許文献２】米国特許第４,１６７,７２０号明細書
【特許文献３】米国特許第４,９３７,５４８号明細書
【特許文献４】米国特許第５,２２３,８１３号明細書
【特許文献５】米国特許第５,４５１,７２９号明細書
【特許文献６】米国特許第５,５５８,２１１号明細書
【発明の開示】
【発明が解決しようとする課題】
【０００６】
解決するための技術問題：本発明は通常使用されている各種電源制御スイッチの連動構造のユニットが複雑、製作コストが高い、連動関係が間接的、連動行程の反応が遅い、及び電源制御スイッチは操作上で故障が多い等の欠点を解決することにある。特に、通常使用されている電源制御スイッチは電流オーバーロードで過熱した場合に、即時にトリップし非導通（ＯＦＦ）とならないか、或いはトリップが不完全で、電気回路は継続して通電している過熱状態にあるのを解決する、及びオーバーロードで過熱した時、接触弾性シートが半トリップ状態になり、接触弾性シートが冷却した時にまたトリップ・バックして通電状態に戻り、通電、非導通の反復により、火花が発生して危険になる問題を解決することである。
【０００７】
問題解決の技術手段：一種のスイッチの自動遮断構造で、それは１つの押しボタンの活動回転軸を受ける箱体で、押しボタンの一端に下向きに延伸部が設置され、延伸部には１つの湾曲状の溝が設置され、押しボタンと箱体の間には１つの弾性部品が組み込まれ、当該弾性部品は押しボタンに１つの弾性力を与えている。前述の延伸部の溝の中には１つの連動部品の一端である棒状体が嵌め込まれ、当該棒状体は延伸部の溝中を往復移動し位置決めする。当該連動部品の別の一端は１つの挟み部で、当該挟み部の活動クリップは１つの接触シートの自由端を挟み持っている。押しスイッチの揺れにより当該連動部品が押されて接触シートが引っ張られ、接触シートの自由端を上下にトリップさせて、電気回路の通電（ＯＮ）或いは非導通（ＯＦＦ）状態を形成する。押しボタンが電気回路導通（ＯＮ）の位置にある時、当該連動部品の棒状体は押しボタンの延伸部の溝中の１つの自由移動空間にあり、電流がオーバーロードになった時、接触シートが熱を受けて変形し自由に反対方向にジャンプし、連動部品或いは押しボタンの阻害を受けることなく、電気回路の非導通（ＯＦＦ）を形成するものである。
【課題を解決するための手段】
【０００８】
請求項１の発明は、箱体、押しボタン、連動部品及び接触シートを含み、
当該箱体は中空状であり、その上方には１つの開口部が設置され、箱体の底面には少なくとも２つの接触端子が組立てられ、
当該押しボタンは１つの帽状体で、押しボタンは箱体の開口部に枢接され、押しボタンが回転軸を中心にして揺り動くようにし、押しボタンの一端には延伸部が設置され、当該延伸部には１つの溝が設置され、当該溝の中には活動する連動部品の一端が嵌め込まれ、押しボタンが下向きに右、左押されると、相対的に連動部品を上下に作動させ、
当該連動部品の一端には１つの棒体が設置され、当該棒体が活動的に前述押しボタンの延伸部の溝の中に嵌め込まれ、且つ棒体は当該溝の中で往復移動、位置決めでき、連動部品の別の一端は接触シートの自由端を挟み、
当該接触シートは１つの弾性を具備した金属シート体で、その一端は第１接触端子に固定して組み込まれ、接触シートのシート体は２つの側に向かってトリップすることができ、接触シートの別の一端は自由端であり、接触シートのシート体で１つの接触部を形成し、当該接触部の一辺と接触シートのシート体は接続していて、接触部の別の一端は自由端であり、接触部の自由端には第１接点が組立て設置されていて、前述の第２接点に対応し、接触部の自由端は相対して接触シートシート体の平面に突出し、接触部の自由端と接触シートの自由端は相互に反対方向へ湾曲トリップする状態を保持し、接触シートと接触部が熱を受けた時、それぞれ変形して反対に湾曲し、別の一側に向かってトリップし、
押しボタンが電気回路導通の位置にある時、当該連動部品上端の棒体は押しボタンの延伸部の溝の中の下向き自由移動空間△Ｓ１にあり、当該自由移動空間△Ｓ１は連動部品の棒体に溝の中を自由に下向きに移動できる経路を提供していて、連動部品全体の下向き移動が押しボタン及び押しボタンの延伸部の制限を受けず、接触シートの自由端の下向きトリップも制限を受けなく、電流がオーバーロードになった時、接触シートは熱を受けて反対に湾曲変形し、接触シートの自由端は自由に下向きにトリップでき、接触シートの接触部の自由端を上向きに反対にトリップさせ、接触部上の第１接点と第２接点が分離して、電気回路の非導通を形成することを特徴とするスイッチの自動遮断構造としている。
請求項２の発明は、当該箱体には少なくとも２つの接触端子が組立てられ、それぞれ第１、第２接触端子とし、第１接触端子の上方湾曲部には接触シートの一端が固定組立てられ、第２接触端子の上方には１つの第２接点が結合されていることを特徴とする請求項１記載のスイッチの自動遮断構造としている。
請求項３の発明は、当該押しボタンの延伸部の溝は１つの水平溝、下向きに延長した１つの直立溝で、おおよそ１つの逆さＬ字形の湾曲状を呈し、および電気回路が導通の位置にある時、当該連動部品の棒体は押しボタン延伸部の溝の直立層の中で、１つの自由移動空間△Ｓ１を有していることを特徴とする請求項１記載のスイッチの自動遮断構造としている。
請求項４の発明は、更に、押しボタンと前述の箱体の間には１つの弾性部品が組み込まれ、当該弾性部品は押しボタンの一端に上向き弾性力を与え、
電流のオーバーロードによるトリップ、非導通状態では、当該連動部品上端の棒体は押しボタンの延伸部の溝下端にあり、自由移動空間△Ｓ２を形成し、当該移動空間△Ｓ２は押しボタンの延伸部に溝に沿って下向きに自由に移動できる経路を提供し、即ち、押しボタン右端及び延伸部の下向き移動の作動は連動部品の棒体の制限を受けなく、この時、押しボタン右端の延伸部は連動部品の棒体の上向き押さえ、制限を受けず、且つ押しボタンの左端は弾性部品の弾性力を上向きに受けるため、押しボタンの左端は上向きに、右端は下向きに回り、押しボタンは一般的な非導通の再使用状態に復帰することを特徴とする請求項１記載のスイッチの自動遮断構造としている。
請求項５の発明は、当該弾性部品は１つの螺旋バネで、螺旋バネの中段は巻付け部で、両端は延長した自由端であり、
また、箱体の内側面には１つの横向き軸棒と１つの凸棒が設置され、
螺旋バネの巻付け部が軸棒に嵌め込まれ、螺旋バネの１つの自主端は前述の押しボタンの一端の下方に押さえられ、別の１つの自由端は圧縮された後凸棒を抑えられて、螺旋バネが圧縮された後の弾性回復力により押しボタンに１つの弾性力を与えていることを特徴とする請求項４記載のスイッチの自動遮断構造としている。
請求項６の発明は、当該連動部品の一端には挟み部が設置され、当該挟み部の活動クリップは当該接触シートの自由端を挟んでいることを特徴とする請求項１記載のスイッチの自動遮断構造としている。
請求項７の発明は、当該挟み部は連動部品の下端ホックとホック上方の湾曲状シート体で形成された挟み込み空間であり、当該挟み込み空間の幅は接触シートの厚さより大きいことを特徴とする請求項６記載のスイッチの自動遮断構造としている。
請求項８の発明は、当該接触シートは複合金属シートであることを特徴とする請求項１記載のスイッチの自動遮断構造としている。
【発明の効果】
【０００９】
本発明はスイッチ自動遮断構造で、その主要目的は、押しボタンの一端の延伸部と連動部品の活動嵌め込みユニットを利用し、並びに嵌め込み場所には１つの活動移動できる溝が形成されていて、押しボタンが電気回路導通（ＯＮ）の位置にある時、当該溝は連動部品に１つの自由に移動できる空間を与えていて、電流がオーバーロードになった時、接触シートは熱を受けて変形し、自由に反対方向にジャンプし、連動部品或いは押しボタンの阻害を受けることなく、電気回路の非導通（ＯＦＦ）状態を形成する。且つ完全にトリップし非導通状態になるので、安全な電気使用の目的を達成することである。
【００１０】
本発明の次の目的は、押しボタンが連動部品の当該接触シートの自由端を押す、引く作動をもたらすことを利用し、直接接触シートのトリップを制御して電気回路の導通（ＯＮ）或いは非導通（ＯＦＦ）を形成させ、電源制御スイッチの連動ユニットを有効的に簡略化し、スイッチの連動を更に直接、迅速にさせることで、ユニット連動時の遅延問題を減少させ、電源制御スイッチの故障も低減させることである。
【００１１】
本発明の更なる目的は、電流のオーバーロードによりトリップした後、スイッチの押しボタンは自動的に一般の非導通（ＯＦＦ）の再使用状態に復帰して、使用者は押しボタンの位置からスイッチがすでにトリップして非導通となっていることがはっきりわかり、使用者に利便性があることである。
【００１２】
本発明のまた更なる目的は、電源制御スイッチの全体連動ユニットを簡略化して組立を用意にし、有効的に製造コストを下げ、並びに電源制御スイッチ構造の使用寿命を延長させて、消費使用者の支出を減少させることにある。
【発明を実施するための最良の形態】
【００１３】
図１から図３に示すのは、本発明実施例の立体組立図、非導通（ＯＦＦ）状態の組立縦断面図、通電（ＯＮ）状態の組立縦断面図である。本発明にある一種のスイッチ自動遮断構造は、１つの箱体１、１つの押しボタン２、１つの連動部品３、及び１つの接触シート４が含まれ、そのうち、当該箱体１は中空状であり、その上方には１つの開口部１０が設置され、箱体１の底面には少なくとも２つの接触端子が組立てられている。本実施例では２つの接触端子をそれぞれ第１、第２接触端子１１、１２とし、第１接触端子１１の上方湾曲部には前述接触シート４の固定端が固定組立てられ、第２接触端子１２の上方には１つの第２接点１２１が結合されている。箱体１と前述の押しボタン２の間には１つの弾性部品１３が組み込まれ、当該弾性部品１３は押しボタン２に１つの弾性力を与えている。本実施例では、当該弾性部品１３は１つの螺旋バネで、螺旋バネの中段は巻付け部で、両端は延長した自由端である。箱体１の内側面には１つの横向き軸棒１４と１つの凸棒１５が設置され、螺旋バネの巻付け部が軸棒１４に嵌め込まれ、螺旋バネの１つの自主端は前述の押しボタン２の一端（左側）の下方に押さえられ、別の１つの自由端は圧縮された後凸棒１５を抑えられて、螺旋バネが圧縮された後の弾性回復力により押しボタン２に１つの弾性力を与えている。図２、図３参照。
【００１４】
当該押しボタン２は１つの帽状体で、押しボタン２の両側面では活動的に回転軸が箱体１の開口部１０に接していて、押しボタン２が回転軸を中心にして揺り動くようにしている。押しボタン２の一端（右端、前述の弾性部品（螺旋バネ）１３を抑えているのとは違う一端）には下向きに延伸部２１が設置され、当該延伸部２１には１つの溝２２が設置されている。当該溝２２は１つの水平溝、下向きに延長した１つの直立溝で、おおよそ１つの逆さL字形の湾曲状をなしている。溝２２の中には活動する連動部品３の一端（上端）が嵌め込まれている。押しボタン２が下向きに右、左押されると、相対的に連動部品３が上下に作動する。
【００１５】
当該連動部品３の一端（上端）には１つの横向きの棒体３１が設置され、当該棒体３１が活動的に前述押しボタン２の延伸部２１の溝２２の中に嵌め込まれ、且つ棒体３１は当該溝２２の中で反復移動、位置決めできる。連動部品３の別の一端（下端）には挟み部３２が設置され、当該挟み部３２の活動クリップは当該接触シート４の自由端を挟んでいる。本実施例では、挟み部３２は連動部品３の下端ホック３３とホック３３上方の湾曲状シート体３４で形成された挟み込み空間で、当該挟み込み空間の幅は接触シート４の厚さよりやや大きい。
【００１６】
当該接触シート４は１つの弾性を有した金属シート体で、その一端は第１接触端子１１に固定して組み込まれ、円弧状を形成していて、接触シート４のシート体は２つの側に向かってトリップできる。接触シート４の別の一端は自由端である。接触シート４のシート体には逆Ｕ字型の溝が設置され、中央部に１つの接触部４１を形成している。当該接触部４１の一辺（固定端）と接触シート４のシート体は接続していて、接触部４１の別の一端は自由端である。接触部４１の自由端には１つの接点４１１が組立て設置されていて、接触部４１の自由端は相対して接触シート４シート体の平面に突出している（図２、図３参照）。しかも、接触シート４の自由端が下向きに湾曲してトリップした時、接触部４１の自由端は上向きに反対に湾曲してトリップする。接触シート４の自由端が上向きに湾曲してトリップした時、接触部４１の自由端は下向きに反対に湾曲してトリップする。即ち、接触シート４の自由端と接触シート４１の自由端は相互に反対方向へ湾曲してトリップする状態を保持している。
【００１７】
本発明は一般の非導通（ＯＦＦ）と通電（ＯＮ）の実施状態において、図２を参照してください。押しボタン２の右端が下向きに押された時、連動部品３が下向きに移動し、連動部品３の挟み部３２にはさまれている接触シート４の自由端が下向きにトリップし、接触シート４の接触部４１の自由端を上向きに反対トリップさせ、接触部４１上の第１接点４１１と第２接触端子１２の第２接点１２１が分離して、非導通（ＯＦＦ）状態になる。即ち、図３の通電（ＯＮ）状態から図２の非導通（ＯＦＦ）状態になる。
【００１８】
押しボタン２の左側が下向きに押された時、図３を参照してください。当該押しボタン右側の延伸部２１は上に向き、連動部品３が上向きに移動し、連動部品３の挟み部３２に挟まれている接触シート４の自由端が上向きにトリップして、接触シート４の接触部４１の自由端を下向きに反対トリップさせ、接触部４１上の第１接点４１１と第２接触端子１２の第２接点１２１が接触して、通電（ＯＮ）状態になる。即ち、図２の非導通（ＯＦＦ）状態から図３の通電（ＯＮ）状態になるる。
【００１９】
上述したように、押しボタン２の右側、左側を反復押して揺り動かすことで、押しボタン２の延伸部２１が連動部品３を下向き、上向きに移動させ、連動部品３の挟み部３２に挟まれている接触シート４の自由端が上、下にトリップして、接触部４１の第１接点４１１と第２接触端子１２の第２接点１２１を分離、接触させて、電気回路の非導通（ＯＦＦ）或いは通電（ＯＮ）状態を形成することで、本発明を一種の直接連動する簡易作動のスイッチ構造にしている。
【００２０】
また、押しボタンが電気回路導通（ＯＮ）の位置にある時、図３、図４を参照してください。当該連動部品３上端の棒体３１は押しボタン２の延伸部２１の溝２２の直立溝中の下向き自由移動空間△Ｓ１にあり、当該自由移動空間△Ｓ１は連動部品３の棒体３１に溝２２の中を自由に下向きに移動できる経路を提供していて、連動部品３全体が下向きに移動した時押しボタン２及び押しボタン２の延伸部２１の制限を受けず、同時に、接触シート４の自由端の下向きトリップも制限を受けない。電流がオーバーロードになった時、接触シート４は熱を受けて反対に湾曲（下向きに湾曲）変形し、接触シート４の自由端は自由に下向きにトリップでき、接触シート４の接触部４１の自由端を上向きに反対トリップさせて、接触部４１上の第１接点４１１と第２接触端子１２の第２接点１２１が分離して、電気回路の非導通（ＯＦＦ）を形成する。図５を参照してください。
【００２１】
図５、図６を参照してください。電流のオーバーロードで遮断して非導通（ＯＦＦ）となった状態では、連動部品３上の棒体３１は押しボタン２の延伸部２１の溝２２下端にあり、自由移動空間△Ｓ２を形成している。当該移動空間△Ｓ２は押しボタン２の延伸部２１の溝２２に沿って下向きに自由に移動できる経路を提供している。即ち、押しボタン２右端及び延伸部２１の下向き移動作動は連動部品３の棒体３１の制限を受けない。この時押しボタン２右端の延伸部２１は連動部品３の棒体３１の上向き押さえ、制限を受けず、且つ押しボタン２の左端は弾性部品１３の弾性力を上向きに受けるため、押しボタン２の左端は上向きに、右端は下向きに揺れ動いて、押しボタン２は一般の非導通（ＯＦＦ）の再使用状態に復帰する。図２参照。
【００２２】
本発明の作動過程は簡単、迅速である。電流はオーバーロードの時、スイッチ部品の作動による阻害を受けず、接触シート４及び接触部４１は熱を受けて変形し反対方向にトリップし、電気回路を完全な非導通（ＯＦＦ）状態にするため、電気使用の安全性を確実に達成できる。同時に、押しボタン２はまた電流オーバーロードでトリップした後、自動的に一般の非導通（ＯＦＦ）の再使用状態に復帰するので、使用の利便性を有している。
【図面の簡単な説明】
【００２３】
【図１】本発明実施例の立体分解図である。
【図２】本発明実施例の組立縦断面図であり、本発明実施例の非導通（ＯＦＦ）状態を表示するのである。
【図３】本発明実施例の組立縦断面図であり、本発明実施例の通電（ＯＮ）状態を表示するのである。
【図４】図３の局部拡大図であり、伝動部品の棒体と押しボタンの延伸部の溝間の自由移動空間△Ｓ１を表示するのである。
【図５】本発明実施例の組み立て断面図であり、本発明実施例が通電（ＯＮ）情況で電流オーバーロードになった時、接触シートと接触部が反対に湾曲してトリップし、連動部品の自由移動を推進して、非導通（ＯＦＦ）状態になることを表示するのである。
【図６】図５の局部拡大図であり、連動部品の棒体と押しボタンの延伸部の溝間の自由移動空間△Ｓ２を表示するのである。
【符号の説明】
【００２４】
１  箱体
１０  開口部
１１  第１接触端子
１２  第２接触端子
１２１  第２接点
１３  弾性部品
１４  軸棒
１５  凸棒
２  押しボタン
２１  延伸部
２２  溝
３  連動部品
３１  棒体
３２  挟み部
３３  ホック
３４  シート体
４  接触シート
４１  接触部
４１１  第１接点
△Ｓ１  自由移動空間
△Ｓ２  自由移動空間
【図１】
0004972476.tif 000002
【図２】
0004972476.tif 000003
【図３】
0004972476.tif 000004
【図４】
0004972476.tif 000005
【図５】
0004972476.tif 000006
【図６】
0004972476.tif 000007